(57)【要約】【課題】浴室内の音場特性を最適な音場特性に自動的に補正できると共に、各種形態の室内に容易に対応し得る浴室内音響装置を提供する。【解決手段】浴室内に配置されスピーカを介して所定の音響を再生し得る音響再生装置と、該音響再生装置で再生された音響を集音するリモコンに設けられたマイクと、該マイクで集音された音響データに基づき音場特性を補正し得るＤＳＰとを備え、ＤＳＰは、浴室内の受聴位置に配置したマイクで集音された音響データに基づいて、受聴位置での音響再生装置による音場特性を自動的に補正することを特徴とする。そして、ＤＳＰは、予め設定した所定の測定用音響信号を音響再生装置で再生させ、マイクで集音された測定用音響信号の音響データに基づいて音場特性を補正する。【選択図】　図５
2004077657.tif 000002
【特許請求の範囲】
【請求項１】
浴室内に配置されスピーカを介して所定の音響を再生し得る音響再生装置と、該音響再生装置で再生された音響を集音するマイクと、該マイクで集音された音響データに基づき音場特性を補正し得るＤＳＰとを備え、
前記ＤＳＰは、浴室内の受聴位置に配置した前記マイクで集音された音響データに基づいて、受聴位置での前記音響再生装置による音場特性を自動的に補正することを特徴とする浴室内音響装置。
【請求項２】
前記ＤＳＰは、予め設定した所定の測定用音響信号を音響再生装置で再生させ、前記マイクで集音された測定用音響信号の音響データに基づいて浴室内の音場特性を補正することを特徴とする請求項１に記載の浴室内音響装置。
【請求項３】
前記マイクは、前記音響再生装置に有線もしくは無線で接続されて当該音響再生装置をコントロールするリモコンに設けられていることを特徴とする請求項１または２に記載の浴室内音響装置。
【請求項４】
前記ＤＳＰは、前記リモコンに設けられた音場設定スイッチが操作された場合に、音場特性を補正することを特徴とする請求項３に記載の浴室内音響装置。
【請求項５】
前記ＤＳＰが浴室の壁面外側に配置された音響再生装置のアンプユニットに内蔵されていることを特徴とする請求項１ないし４のいずれかに記載の浴室内音響装置。
【発明の詳細な説明】
【０００１】
【発明の属する技術分野】
本発明は、浴室内において音楽等の所定の音響を再生する浴室内音響装置に関する。
【０００２】
【従来の技術】
従来、浴室の音響装置において、浴室内の音場特性を調整する場合は、予め設定された所定の周波数帯域の音声を増減させるトーンコントロールによって行っているのみで、初期設定時の周波数別音量レベルのイコライジングや遅延時間等のコントロール（制御）は行っていない。
【０００３】
【発明が解決しようとする課題】
したがって、このような音響装置においては、浴室内で音楽を再生した場合に、浴室自体が比較的狭い音響空間となるため、反響音の成分が大きくなり浴室内に最適な音場特性を得ることが難しいという問題点を有している。そこで、浴室内の音場特性を事前に測定して補正データとし、この補正データに基づいてアンプ等の特性を調整して浴室内の音場特性をコントロールすることも考えられる。
【０００４】
しかしこの場合、浴室の大きさ、内部形状や材質、ドアやスピーカの取付位置等のバリエーションによって浴室の種類や組み合せが非常に多いため、個別に補正データを測定することに大変な労力を必要とする。また、近年の浴室においては半身浴用のバスタブが多く、このバスタブの場合、半身浴用の座部に腰を降ろした半身浴状態とバスタブの底面に腰を降ろした通常入浴状態において、入浴者の頭部の位置がバスタブに対して逆の位置となり、仮に事前に前記補正データを測定して音場特性を補正設定したとしても、最適な音場特性に設定することが困難であり、結局、このように音場特性の補正が行われていないのが実状である。
【０００５】
本発明は、このような事情に鑑みてなされたもので、その目的は、浴室内の音場特性を最適な音場特性に自動的に補正できると共に、各種形態の浴室に容易に対応し得る浴室内音響装置を提供することにある。また、他の目的は、音場特性の補正の操作を簡単に行ったり、浴室内に良好な音響効果が得られる浴室内音響装置を提供することにある。
【０００６】
【課題を解決するための手段】
かかる目的を達成すべく、本発明のうち請求項１に記載の発明は、浴室内に配置されスピーカを介して所定の音響を再生し得る音響再生装置と、該音響再生装置で再生された音響を集音するマイクと、該マイクで集音された音響データに基づき音場特性を補正し得るＤＳＰとを備え、前記ＤＳＰは、浴室内の受聴位置に配置した前記マイクで集音された音響データに基づいて、受聴位置での前記音響再生装置による音場特性を自動的に補正することを特徴とする。
【０００７】
このように構成することにより、浴室内の音場特性は、音響再生装置で再生された音響を、浴室内の受聴位置に配置されたマイクで集音し、この音響データに基づきＤＳＰによって補正される。この時、マイクを受聴位置に配置して音響再生装置で音響を再生させるだけで、ＤＳＰで自動的に音場特性が浴室内の状況に応じて最適な音場特性となるように補正されることから、音場特性の自動補正設定が可能になると共に、形態が異なる各種の浴室であっても容易に対応できる。
【０００８】
そして、前記ＤＳＰは、請求項２に記載の発明のように、予め設定した所定の測定用音響信号を音響再生装置で再生させ、前記マイクで集音された測定用音響信号の音響データに基づいて音場特性を補正することが好ましい。このように構成することにより、例えば浴室内で音楽を再生する場合に、予め設定された所定の測定用音響信号を最初に再生するだけで、その測定用音響信号の音響データに基づいた補正が可能となって、音場特性の補正が一層容易に行える。
【０００９】
また、前記マイクは、請求項３に記載の発明のように、前記音響再生装置に有線もしくは無線で接続されて当該音響再生装置をコントロールするリモコンに設けられていることが好ましい。このように構成することにより、音響再生装置に有線で接続され浴室内の所定位置に固定的に配置された壁付きリモコン、あるいは音響再生装置に無線で接続されたハンディ型リモコンにマイクが設けられていることから、受聴位置にマイクを容易に配置することができて、音場特性の補正のための操作が簡単に行える。
【００１０】
また、前記ＤＳＰは、請求項４に記載の発明のように、前記リモコンに設けられた音場設定スイッチが操作された場合に、音場特性を補正することが好ましい。このように構成することにより、リモコンに設けられた音場設定スイッチがオン操作された場合に浴室内の音場特性が自動的に補正されることから、音場特性の補正設定のための操作が一層簡単に行える。
【００１１】
また、請求項５に記載の発明のように、前記ＤＳＰが浴室の壁面外側に配置された音響再生装置のアンプユニットに内蔵されていることが好ましい。このように構成することにより、オーディオ機器が接続されＤＳＰが内蔵されたアンプユニットが浴室の壁面外側に配置され、浴室内の例えばリモコンに配置されたマイクで集音した音響データに基づいて浴室内の音場特性が補正されることから、各種形態の浴室の音場特性を最適な音場特性に容易に補正でき、浴室内に良好な音響効果が得られて快適な入浴が可能になる。
【００１２】
【発明の実施の形態】
以下、本発明の実施の形態を図面に基づいて詳細に説明する。
図１〜図５は、本発明に係わる浴室内音響装置の一実施例を示し、図１がその概略構成図、図２及び図３がリモコンの正面図、図４がブロック図、図５が動作の一例を示すフローチャートである。
【００１３】
図１において、システムバスユニット等の浴室１は、防水パン等からなる床壁２と、４枚の側壁３ａ〜３ｄ（３ｄは図示せず）及び天井壁４によって箱状に形成され、前記防水パン上にはバスタブ５が配置されると共に、図示しない洗い場が設けられている。バスタブ５は、その一端側に底面５ａより一段高い半身浴部としての座部５ｂを有し、図に示すように底面５ａに腰を降ろして入浴することにより通常入浴状態が得られ、頭部の位置を逆にして座部５ｂに入浴者Ｍが腰を降ろして入浴することにより半身浴状態が得られるようになっている。
【００１４】
また、浴室１の天井壁４の外側（あるいは適宜の側壁３ａ〜３ｄ外側）には、ＡＣ１００電源６で動作可能なアンプユニット７が配置されている。そして、このアンプユニット７の入力側には、浴室１外の適宜位置に設けた入力ボックス８を介してＣＤプレーヤ、カセットデッキ、チューナ等のオーディオ機器９が接続され、アンプユニット７の出力側には、浴室１の例えば側壁３ａ、３ｃと天井壁４の対向するコーナ部に配置された一対のスピーカ１０がそれぞれ接続されている。
【００１５】
また、アンプユニット７の入力側には、浴室１のバスタブ５の側方の側壁３ｂに固定的に設けられた壁付けリモコン１１が有線により電気的に接続されると共に、アンプユニット７には後述する受信回路３４の受信部３４ａが露出状態で設けられ、この受信部３４ａ（受信回路３４）に無線により浴室１内の適宜位置に移動可能に配置されたハンディ型リモコン１２に電気的に接続されている。
【００１６】
前記壁付けリモコン１１は、図２に示すように、電源スイッチ１４、前記バスタブ５の側壁に配置された低音再生用のアクチュエータ（図示せず）を作動させるアクチュエータスイッチ１５、音量スイッチ１６、学習機能用スイッチ１７、表示灯１８及び液晶表示部１９等が配設されている。また、壁付けリモコン１１には、例えば液晶表示部１９の下部にマイク２０が配置されると共に、音場設定スイッチ２１が設けられており、この音場設定スイッチ２１をオン操作することにより、後述する如く浴室１内の音場特性が自動的に補正設定される。なお、マイク２０を壁付けリモコン１１に設けず、独立して所定の側壁に設ける構成とすることもできる。
【００１７】
一方、前記ハンディ型リモコン１２は、図３に示すように、壁付けリモコン１１と同様の電源スイッチ１４、アクチュエータスイッチ１５、音量スイッチ１６、学習機能用スイッチ１７、表示灯１８及び液晶表示部１９等を有すると共に、赤外線発光部２２、マイク２３及び音場設定スイッチ２４等を有している。そして、このハンディ型リモコン１２の音場設定スイッチ２４をオン操作することにより、壁付けリモコン１１と同様に浴室１内の音場特性が後述する如く自動的に補正設定される。なお、壁付けリモコン１１とハンディ型リモコン１２の各種スイッチや表示灯等の種類や配置、マイク２０、２３の位置等は一例であって、適宜に変更することができる。
【００１８】
次に、この浴室１における音響装置のブロック図を図４に基づいて説明する。先ず、前記アンプユニット７内には、ＣＰＵ２５、ＲＡＭ２６、ＲＯＭ２７と、ＣＰＵ２５に接続されたＤＳＰ２８と、このＤＳＰ２８の入力側に接続されたＡ／Ｄ変換回路２９、３０及びＤＳＰ２８の出力側に接続されたＤ／Ａ変換回路３１等を有している。また、Ｄ／Ａ変換回路３１には前記一対のスピーカ１０が接続されたＡＭＰ３２が接続され、Ａ／Ｄ変換回路３０には集音データ増幅用のＡＭＰ３３が接続されている。なお、ＣＰＵ２５とＡＭＰ３３には、前記ハンディ型リモコン１２からの赤外線信号を受信する受信回路３４が接続されている。
【００１９】
そして、前記壁付けリモコン１１は、そのマイク２０がＡＭＰ３３に接続されると共に、その音場設定スイッチ２１がＣＰＵ２５に接続されている。また、前記ハンディ型リモコン１２は、そのマイク２３が無線により受信部３４ａに接続されて受信回路３４を介してＤＳＰ２８に接続されると共に、その音場設定スイッチ２４が無線により受信部３４ａに接続されて受信回路３４を介してＣＰＵ２５に接続されている。
【００２０】
これにより、オーディオ機器９から出力されるオーディオ信号Ｓは、Ａ／Ｄ変換回路２９でＡ／Ｄ変換されてＤＳＰ２８に入力され、この入力信号がＤＳＰ２８で適宜に処理されてＤ／Ａ変換回路３１でＤ／Ａ変換されＡＭＰ３２で増幅されて、スピーカ１０から音響として発せられることになる。
【００２１】
また、マイク２０、２３で集音された音響データは、壁付けリモコン１１のマイク２０の場合、ＡＭＰ３３で増幅された後にＡ／Ｄ変換回路３０でＡ／Ｄ変換されてＤＳＰ２８に入力され、この信号がＣＰＵ２５の制御によってＤＳＰ２８で適宜に処理される。また、ハンディ型リモコン１２のマイク２３の場合は、受信回路３４で受信された音響データがＤＳＰ２８に入力され、この信号がＣＰＵ２５の制御によってＤＳＰ２８で適宜に処理されることになる。なお、図４に示すブロック図は一例であって、例えば記憶部を有するマイコン等の使用によりＲＡＭ２６、ＲＯＭ２７を省略する等、使用する集積回路に応じた適宜のブロック図を採用することができる。
【００２２】
図５は、前記音響装置の動作の一例を示しており、以下これについて説明する。なお、このフローチャートは前記ＲＯＭ２７に記憶されているプログラムにしたがって自動的に実行される。先ず、前記壁付けリモコン１１とハンディ型リモコン１２のいずれかの電源スイッチ１４がオン操作されるとプログラムが開始（Ｓ１０１）され、壁付けリモコン１１の音場設定スイッチ２１（図では設定ＳＷ１と記す）がオンしたか否かが判断（Ｓ１０２）される。この判断Ｓ１０２で「ＹＥＳ」の場合、すなわち入浴者Ｍがバスタブ５内に入った状態で壁付けリモコン１１の音場設定スイッチ２１をオン操作した場合は、前記ＲＡＭ２６等に予め設定されている所定の測定用音響信号がスピーカ１０によって再生（Ｓ１０４）される。
【００２３】
一方、判断Ｓ１０２で「ＮＯ」の場合は、ハンディ型リモコン１２の音場設定スイッチ２４（図では設定ＳＷ２と記す）がオンしたか否かが判断（Ｓ１０３）され、この判断Ｓ１０３で「ＹＥＳ」の場合、すなわち壁付けリモコン１１と同様に入浴者Ｍがバスタブ５に入浴中にハンディ型リモコン１２の音場設定スイッチ２４をオン操作した場合は、ステップＳ１０４に移り測定用音響信号を再生する。また、判断Ｓ１０３で「ＮＯ」の場合、すなわち両リモコン１１、１２の音場設定スイッチ２１、２４が共にオンしない場合は判断Ｓ１０２に戻る。
【００２４】
そして、ステップＳ１０４で測定用音響信号が再生されると、壁付けリモコン１１もしくはハンディ型リモコン１２のマイク２０、２３で集音され、ＡＭＰ３３で増幅されると共にＡ／Ｄ変換されたデジタル信号である音響データをＤＳＰ２８内に読み込む（Ｓ１０５）。測定用音響信号の音響データが読み込まれると、この音響データから予め設定された計算式に基づき補正係数を算出（Ｓ１０６）し、この補正係数をＲＡＭ２６に一時記憶（Ｓ１０７）する。この補正係数が、浴室１内の受聴位置であるマイク２０、２３の位置の音場特性を示す値となる。
【００２５】
ステップＳ１０７で補正係数が記憶されると、この記憶された補正係数に基づいて、Ａ／Ｄ変換回路２９からＤＳＰ２８に逐次入力されるオーディオ信号Ｓが補正処理（Ｓ１０８）され、この補正処理されたデータがＤ／Ａ変換器３１でＤ／Ａ変換されＡＭＰ３２で増幅されつつスピーカ１０から発せられる。このスピーカ１０から発せられる音楽等は、受聴位置に応じた補正係数で補正されていることから、例えば反響成分が抑えられたり、周波数別の音量がイコライジングされて、バスタブ５内に入浴中の入浴者Ｍが良好な音楽を視聴できる。
【００２６】
そして、所定の音楽等が補正係数に基づいて補正されつつ浴室１内で再生されると、リモコン１１、１２の電源スイッチ１４がオフしたか否かが判断（Ｓ１０９）され、この判断Ｓ１０９は「ＹＥＳ」になるまで繰り返され、「ＹＥＳ」となった時点で一連のプログラムを終了（Ｓ１１０）する。
【００２７】
つまり、入浴者Ｍがバスタブ５内で例えば通常入浴状態の入浴中に、壁付けリモコン１１かハンディ型リモコン１２の音場設定スイッチ２１、２４をオン操作することにより、アンプユニット７内のＤＳＰ２８から測定用音響信号が自動的に再生されると共にこの再生音をマイク２０、２３で集音することにより、ＤＳＰ２８で補正係数が算出される。そして、この算出された補正係数によってオーディオ信号Ｓが、補正されつつスピーカ１０から浴室１に応じた音場特性で再生されることになる。
【００２８】
また、入浴者Ｍがバスタブ５内に半身浴状態で入浴中の場合も、例えばハンディ型リモコン１２を頭部近傍に位置させその音場設定スイッチ２４をオンさせれば、頭部の位置で測定用音響信号が集音されて通常入浴状態とは異なる補正係数が算出され、入浴者Ｍの入浴状態に応じた音場特性が補正設定されることになる。なお、リモコンとしてハンディ型リモコン１２を使用すれば、入浴者Ｍが洗い場にいる場合の音場特性の補正設定も勿論可能である。
【００２９】
このように、上記実施例の音響装置にあっては、壁付けリモコン１１やハンディ型リモコン１２にマイク２０、２３を配置し、このマイク２０、２３で集音された音響データに基づき、ＤＳＰ２８で補正係数を自動的に算出してオーディオ信号Ｓを補正するため、浴室１内の受聴位置における音場特性を最適な特性とすることができると共に、ＤＳＰ２８によって算出され記憶設定された補正係数に基づきオーディ信号Ｓを自動的に補正しつつ再生することができる。
【００３０】
特に壁付けリモコン１１やハンディ型リモコン１２にマイク２０、２３が設けられているため、例えばハンディ型リモコン１２を頭部近傍に位置させることで、入浴者Ｍがバスタブ５内で通常入浴状態の場合や半身浴状態の場合は勿論のこと、洗い場にいる場合でも入浴者Ｍの受聴位置における音場特性を精度良く補正することができる。これらのことから、浴室１内において従来のような反響成分等のない明瞭でかつ適正な音楽等を再生することができて、良好な音響効果の音楽等を聞きながらの快適な入浴が可能になる。
【００３１】
さらに、壁付けリモコン１１やハンディ型リモコン１２に設けられた音場設定スイッチ２１、２４をオン操作し、ハンディ型リモコン１２等を受聴位置に設定するだけで、受聴位置における音場特性を最適な音場特性とすることができるため、音場特性の補正設定のために従来のトーンコントロール操作のように周波数帯域毎の複雑な操作が不要になる。また、音場設定スイッチ２１、２４がオン操作された場合にのみ音場特性が設定されるため、例えば入浴開始時の一度のスイッチ操作で音場特性を設定することができ、これらのことから、浴室１内における音場特性設定のための操作を簡単に行うことができて、操作性と使い勝手に優れた音響装置を得ることが可能になる。
【００３２】
またさらに、集積回路からなるＤＳＰ２８をアンプユニット７内に内蔵し、浴室１の天井壁４外側に配置することにより対応できるため、構成簡易にして安価な音響装置を得ることができると共に、例えば既存の音響再生装置を備えた浴室１にリモコン１１、１２と共に比較的簡単に付設（増設）することができて、汎用性に優れた音響装置を得ることが可能になる。
【００３３】
なお、上記実施例においては、バスタブ５が半身浴用のバスタブである場合について説明したが、本発明はこれに限定されず、通常のバスタブであっても良い。また、測定用音響信号を使用せず、再生した音楽等をマイク２０、２３で集音し、その音響データに基づき音場特性を補正するように構成しても良い。
【００３４】
【発明の効果】
以上詳述したように、請求項１に記載の発明によれば、浴室内の受聴位置に配置したマイクで集音された音響データに基づき、ＤＳＰによって受聴位置での音響再生装置による音場特性が補正されるため、浴室内の音場特性をその状況に応じた最適な音場特性となるように自動的に補正することができると共に、形態が異なる各種の浴室であっても容易に対応することができる。
【００３５】
また、請求項２に記載の発明によれば、請求項１に記載の発明の効果に加え、浴室内で音楽等を再生する場合に、予め設定された所定の測定用音響信号を音響再生装置で最初に再生するだけで、その音響データに基づいて音場特性が補正されるため、浴室内の音場特性の補正を一層容易に行うことができる。
【００３６】
また、請求項３に記載の発明によれば、請求項１または２に記載の発明の効果に加え、音響再生装置に有線で接続され浴室内の所定位置に固定的に配置されたリモコン、あるいは音響再生装置に無線で接続されたリモコンにマイクが設けられているため、浴室内の受聴位置にマイクを容易に配置することができて、浴室内の音場特性の補正のための操作を簡単に行うことができる。
【００３７】
また、請求項４に記載の発明によれば、請求項３に記載の発明の効果に加え、リモコンに設けられた音場設定スイッチがオン操作された場合に浴室内の音場特性が自動的に補正されるため、浴室内の音場特性の補正のための操作を一層簡単に行うことができる。
【００３８】
また、請求項５に記載の発明によれば、請求項１ないし４に記載の発明の効果に加え、オーディオ機器が接続されＤＳＰが内蔵されたアンプユニットが浴室の壁面外側に配置され、浴室内の例えばリモコンに配置したマイクで集音した音響データに基づいて浴室内の音場が補正されるため、各種形態の浴室の音場を最適な音場特性に容易に補正設定することができて、浴室内に良好な音響効果が得られ、例えば快適な入浴が可能になる等の効果を奏する。
【図面の簡単な説明】
【図１】本発明に係わる浴室内音響装置の一実施例を示す概略構成図
【図２】同壁付けリモコンの正面図
【図３】同ハンディ型リモコンの正面図
【図４】同浴室内音響装置のブロック図
【図５】同その動作の一例を示すフローチャート
【符号の説明】
１・・・・・・・浴室
５・・・・・・・バスタブ
７・・・・・・・壁パネル
８・・・・・・・入力ボックス
９・・・・・・・オーディオ機器
１０・・・・・・スピーカ
１１・・・・・・壁付けリモコン
１２・・・・・・ハンディ型リモコン
２０、２３・・・マイク
２１、２４・・・音場設定スイッチ
２５・・・・・・ＣＰＵ
２８・・・・・・ＤＳＰ
２９、３０・・・Ａ／Ｄ変換回路
３１・・・・・・Ｄ／Ａ変換回路
３２、３３・・・ＡＭＰ
３４・・・・・・受信回路
Ｓ・・・・・・・オーディオ信号
Ｍ・・・・・・・入浴者
【図１】
2004077657.tif 000003
【図２】
2004077657.tif 000004
【図３】
2004077657.tif 000005
【図４】
2004077657.tif 000006
【図５】
2004077657.tif 000007